(57)【要約】      （修正有）【課題】横電界及びソース電位の変動の悪影響を回避する。【解決手段】  １水平期間に、相互に離間した２本のラインの走査線を選択して順次ゲートパルスを供給し、次の１水平期間には選択する２本のラインを夫々１ラインずつシフトさせる走査ドライブ手段１０４と、入力画像とその遅延信号とを合成し、入力画像の水平周波数に対して２倍の水平周波数の合成画像を走査ドライブ手段の走査に応じた信号配列で配列して書込み画像を得る画像再配列手段６１と、入力画像の水平周期の１／２倍の水平書込み期間毎に極性反転させて複数のソース線に夫々供給するデータドライブ手段２０１と、入力画像の１水平期間に、相互に離間した２本のラインの走査線を夫々選択するためのイネーブル信号であって、ソース線に供給される画像信号の極性反転のタイミングでは、走査線を選択しない論理値を有するイネーブル信号を生成するイネーブル信号生成手段６１ｂとを具備する。【選択図】      図１
2006078619.tif 000002
【特許請求の範囲】
【請求項１】
格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間した２本のラインの走査線を選択して順次ゲートパルスを供給し、次の１水平期間には選択する２本のラインを夫々１ラインずつシフトさせる走査ドライブ手段と、
前記入力画像とその遅延信号とを合成し、前記入力画像の水平周波数に対して２倍の水平周波数の合成画像を前記走査ドライブ手段の走査に応じた信号配列で配列して書込み画像を得る画像再配列手段と、
前記画像再配列手段からの書込み画像の画像信号が入力され、前記入力画像の水平周期の１／２倍の水平書込み期間毎に極性反転させて前記複数のソース線に夫々供給するデータドライブ手段と、
前記入力画像の１水平期間に、相互に離間した２本のラインの走査線を夫々選択するためのイネーブル信号であって、前記ソース線に供給される画像信号の極性反転のタイミングでは、前記走査線を選択しない論理値を有するイネーブル信号を生成するイネーブル信号生成手段とを具備したことを特徴とする電気光学装置用駆動回路。
【請求項２】
前記イネーブル信号生成手段は、前記ソース線に供給される画像信号が同一極性の期間に、相互に離間した２本のラインの走査線を夫々選択するためのイネーブル信号を生成することを特徴とする請求項１に記載の電気光学装置用駆動回路。
【請求項３】
前記イネーブル信号生成手段は、前記イネーブル信号の前記走査線を選択しない論理値と前記走査線を選択する論理値との変化点と前記画像信号が反転する変化点との間隔を、０乃至１００ｎ秒の範囲内に設定することを特徴とする請求項１に記載の電気光学装置用駆動回路。
【請求項４】
前記イネーブル信号生成手段は、前記イネーブル信号の前記走査線を選択しない論理値と前記走査線を選択する論理値との変化点を前記画像信号の水平帰線期間内に設定することを特徴とする請求項１に記載の電気光学装置用駆動回路。
【請求項５】
格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間した２本のラインの走査線を選択して順次ゲートパルスを供給し、次の１水平期間には選択するｎ本のラインを夫々１ラインずつシフトさせる走査ドライブ処理と、
前記入力画像とその遅延信号とを合成し、前記入力画像の水平周波数に対して２倍の水平周波数の合成画像を前記走査ドライブ処理における走査に応じた信号配列で配列して書込み画像を得る画像再配列処理と、
前記画像再配列処理によって得られる書込み画像の画像信号が入力され、前記入力画像の水平周期の１／２倍の水平書込み期間毎に極性反転させて前記複数のソース線に夫々供給するデータドライブ処理と、
前記入力画像の１水平期間に、相互に離間した２本のラインの走査線を夫々選択するためのイネーブル信号であって、前記ソース線に供給される画像信号の極性反転のタイミングでは、前記走査線を選択しない論理値を有するイネーブル信号を生成するイネーブル信号生成処理とを具備したことを特徴とする電気光学装置用駆動方法。
【請求項６】
前記イネーブル信号生成処理は、前記ソース線に供給される画像信号が同一極性の期間に、相互に離間した２本のラインの走査線を夫々選択するためのイネーブル信号を生成することを特徴とする請求項５に記載の電気光学装置用駆動方法。
【請求項７】
前記イネーブル信号生成処理は、前記イネーブル信号の前記走査線を選択しない論理値と前記走査線を選択する論理値との変化点と前記画像信号が反転する変化点との間隔を、０乃至１００ｎ秒の範囲内に設定することを特徴とする請求項５に記載の電気光学装置用駆動方法。
【請求項８】
前記イネーブル信号生成処理は、前記イネーブル信号の前記走査線を選択しない論理値と前記走査線を選択する論理値との変化点を前記画像信号の水平帰線期間内に設定することを特徴とする請求項５に記載の電気光学装置用駆動方法。
【請求項９】
請求項１乃至４のいずれか１つに記載の電気光学装置用駆動回路と、
前記表示部とを具備したことを特徴とする電気光学装置。
【請求項１０】
請求項９に記載の電気光学装置を具備したことを特徴とする電子機器。
【発明の詳細な説明】
【技術分野】
【０００１】
本発明は、表示むらを軽減するようにした電気光学装置用駆動回路及び駆動方法並びに電気光学装置及び電子機器に関する。
【背景技術】
【０００２】
電気光学装置、例えば、電気光学物質として液晶を用いた液晶表示装置は、陰極線管（ＣＲＴ）に代わるディスプレイデバイスとして、各種情報処理機器の表示部や液晶テレビ等に広く用いられている。
【０００３】
このような液晶表示装置は、例えば、マトリクス状に配列した画素電極と、この画素電極に接続されたＴＦＴ（Thin Filｍ Transistor : 薄膜トランジスタ）のようなスイッチング素子等が設けられた素子基板と、画素電極に対向する対向電極が形成された対向基板と、これら両基板との間に充填された電気光学物質たる液晶とによって構成される。
【０００４】
ＴＦＴは走査線（ゲート線）を介して供給される走査信号（ゲート信号）によって導通する。走査信号を印加してスイッチング素子を導通状態にした状態で、データ線（ソース線）を介して画素電極に、階調に応じた電圧の画像信号を印加する。そうすると、画素電極と対向電極に、画像信号の電圧に応じた電荷が蓄積される。電荷蓄積後、走査信号を取り去りＴＦＴを非導通状態にしても、各電極における電荷の蓄積状態は、液晶層の容量性や蓄積容量等によって維持される。
【０００５】
このように、各スイッチング素子を駆動させ、蓄積させる電荷量を階調に応じて制御すると、画素毎に液晶の配向状態が変化して光の透過率が変わり、画素毎に明るさを変化させることができる。こうして、階調表示することが可能となる。
【０００６】
ところで、液晶装置では、印加信号の直流成分の印加などによって、例えば、液晶成分の分解、液晶セル中の不純物による汚染が発生し、表示画像の焼き付き等の現象が現れる。そこで、一般的には、各画素電極の駆動電圧の極性を、例えば画像信号におけるフレーム毎に反転させる反転駆動が行われる。フレーム反転駆動等の面反転駆動は、画像表示領域を構成する全画素電極の駆動電圧の極性を全て同じにして、一定周期で駆動電圧を反転させる方式である。
【０００７】
液晶層及び蓄積容量の容量性を考慮すると、各画素の液晶層に電荷を印加するのは一部の期間のみでよい。従って、マトリクス状に配設された複数の画素を駆動する場合には、同一走査ラインに接続された画素に各走査線によって同時に走査信号を印加し、画像信号をデータ線を介して各画素に供給し、また画像信号を供給する走査線を順次切換えればよい。即ち、液晶表示装置では、走査線及びデータ線を複数の画素について共通化した時分割マルチプレックス駆動が可能となる。
【０００８】
このように、液晶装置では、容量性を考慮して、画素には一部の期間にのみ駆動電圧が印加される。しかしながら、結合容量の影響及び電荷のリークによって、画素電極はＴＦＴがオフの期間においてもソース線電位の影響を受ける。画素の印加電圧のこのような電位変動によって、画面内の表示が不均一となり、特に、中間調領域では画質の劣化が目立ってしまう。
【０００９】
そこで、このような問題点を回避するために、液晶装置においては、１フレーム毎の反転駆動処理と共に、例えばライン毎に駆動電位の極性を異ならせるライン反転駆動等とを組み合わせた反転駆動が採用される。ソース線を介して転送される画像信号の極性を比較的短時間に切換えることで、結合容量の影響及び電荷のリークの影響を低減するのである。
【００１０】
しかしながら、ライン反転駆動方式の場合には、極性が相異なる電圧が印加される列方向又は行方向において、同一基板上の相隣接する画素電極間で電界（以下、横電界という）が生じてしまう。また、ドット反転駆動方式の場合には、極性が相異なる電圧が印加させる行方向及び列方向に相隣接する画素電極間で横電界が生じる。
【００１１】
隣接する画素間にこのような横電界が生じると、画素電極の一縁辺部は、この横電界の影響を受け、液晶分子の傾斜方向が他の液晶分子と異なる部分が生じやすい。このような液晶分子の配列の乱れ（ディスクリネーション）によって、配向不良の部分に沿ったスジ状の模様（スジむら）が現れる。即ち、ディスクリネーション領域においては光抜けが生じ、また、このディスクリネーション領域を非開口領域とした場合には開口率が低下してしまう。
【００１２】
そこで、特許文献１においては、ソース線には書き込み毎に反転する信号を印加しつつ、上下に隣接する画素同士には同一極性の信号を書き込む領域走査反転駆動の技術が開示されている。即ち、特許文献１においては、１ラインの画像信号を１水平期間で２回書き込む倍速走査を行うと共に、書き込みを行う走査線として、例えばＶ／２（Ｖは垂直期間）だけ離間した２本を１水平期間内に選択する。
【００１３】
この１水平期間に２本ずつの走査に合わせて、予め同一画像から作成した倍速の画像信号を並べ替えておく。そして、１水平期間の前半には所定の走査線に１／２水平期間で書き込みを行い、１水平期間の後半には所定の走査線からＶ／２だけずれたラインに１／２水平期間で逆極性の画像信号を書き込む。次の１水平期間には、これらの２つの書き込みを、夫々１ラインずつシフトさせる。
【００１４】
このように、領域走査反転駆動では、１水平期間の前半には、例えば正極性の画像信号による書き込みが行われ、１水平期間の後半にはこの書き込みにＶ／２だけずれた位置から同一画像の逆極性の画像信号による書き込みが行われる。
【００１５】
これにより、１水平期間に、極性が相互に異なる２走査線の画像信号が書き込まれて、ソース線は交流駆動される。また、同一極性の画像信号は隣接した画素に書き込まれて、正極性画像の書き込み領域及び負極性画像の書き込み領域は、いずれもＶ／２だけ連続する。
【００１６】
これにより、特許文献１の装置は、ソース線電位の影響を抑制して画面表示の均一性を維持しつつ、横電界の悪影響によるディスクリネーションの発生を防止している。
【特許文献１】特開２００４−１７７９３０公報
【発明の開示】
【発明が解決しようとする課題】
【００１７】
ところで、特許文献１に記載された技術においては、上述したように、１水平期間に２つの走査線に書込みが行われる。これらの書き込みは、イネーブル信号ＥＮＢＹ１，ＥＮＢＹ２によって制御される。そして、これらのイネーブル信号ＥＮＢＹ１，ＥＮＢＹ２の書き込み毎に、相互に異なる極性の画像信号の書込みが行われる。なお、この極性反転は、１水平周期の極性反転信号ＦＲＰによって制御される。
【００１８】
ところで、配線遅延等の種々の要因によって、イネーブル信号ＥＮＢＹ１，ＥＮＢＹ２の発生タイミングが、大きく遅延してしまうことがあった。そうすると、１書き込み期間において、極性反転前後の画像信号の影響によってソース電位が大きく変動し、画像にむらが生じることがあるという問題点があった。
【００１９】
本発明はかかる問題点に鑑みてなされたものであって、領域走査反転駆動を採用した場合における画面表示の均一性を向上させることができる電気光学装置用駆動回路及び駆動方法並びに電気光学装置及び電子機器を提供することを目的とする。
【課題を解決するための手段】
【００２０】
本発明に係る電気光学装置用駆動回路は、格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間した２本のラインの走査線を選択して順次ゲートパルスを供給し、次の１水平期間には選択する２本のラインを夫々１ラインずつシフトさせる走査ドライブ手段と、前記入力画像とその遅延信号とを合成し、前記入力画像の水平周波数に対して２倍の水平周波数の合成画像を前記走査ドライブ手段の走査に応じた信号配列で配列して書込み画像を得る画像再配列手段と、前記画像再配列手段からの書込み画像の画像信号が入力され、前記入力画像の水平周期の１／２倍の水平書込み期間毎に極性反転させて前記複数のソース線に夫々供給するデータドライブ手段と、前記入力画像の１水平期間に、相互に離間した２本のラインの走査線を夫々選択するためのイネーブル信号であって、前記ソース線に供給される画像信号の極性反転のタイミングでは、前記走査線を選択しない論理値を有するイネーブル信号を生成するイネーブル信号生成手段とを具備したことを特徴とする。
【００２１】
このような構成によれば、表示部は、格子状に配設された複数のソース線及び複数の走査線の各交差に対応して画素が構成され、走査ドライブ手段から走査線に供給される走査信号によって画素に設けられたスイッチング素子がオンされ、これにより、ソース線に供給された画像信号がスイッチング素子を介して各画素の画素電極に与えられて電気光学物質が駆動される。画像再配列手段は、入力画像とその遅延信号とを合成して、入力画像の水平周波数に対して２倍の水平周波数の画像を走査ドライブ手段の走査に応じた信号配列で配列して書込み画像を得る。ソース線に供給される画像信号は、入力画像の水平周波数に対して２倍の水平周波数の書込み画像の画像信号であり、データドライブ手段によって、入力画像の水平周期の１／２倍の水平書込み期間毎に極性反転されている。走査ドライブ手段は、入力画像の１水平期間に、相互に離間したｎ（ｎは２以上の整数）本のラインの走査線を選択して順次ゲートパルスを供給し、次の１水平期間には選択する２本のラインを夫々１ラインずつシフトさせる。これにより、大部分の隣接するライン間では同一極性の画像信号で駆動されることになり、面反転駆動により横電界の発生を防止することができる。１水平期間に、相互に離間した２本のラインの走査線を夫々選択するために、イネーブル信号生成手段によってイネーブル信号が生成される。このイネーブル信号は、ソース線に供給される画像信号の極性反転のタイミングでは、走査線を選択しない論理値を有する。従って、データドライブ手段からソース線への画像信号の転送路における容量結合の影響によって、極性反転のタイミングで比較的大きくソース電位が変動したとしても、このソース電位の変動分が画素に書き込まれることはない。これにより、各走査線におけるソース線の電位の変動を比較的低いレベルで同様のレベルにすることができ、表示むらの発生を抑制することができる。これにより、画質を向上させることができる。
【００２２】
また、前記イネーブル信号生成手段は、前記ソース線に供給される画像信号が同一極性の期間に、相互に離間した２本のラインの走査線を夫々選択するためのイネーブル信号を生成することを特徴とする。
【００２３】
このような構成によれば、画像信号の極性が同一の間にのみ走査線が選択されるので、画像信号の極性反転のタイミングで比較的大きくソース電位が変動したとしても、このソース電位の変動分が画素に書き込まれることはなく、表示むらの発生を抑制することができる。
【００２４】
また、前記イネーブル信号生成手段は、前記イネーブル信号の前記走査線を選択しない論理値と前記走査線を選択する論理値との変化点と前記画像信号が反転する変化点との間隔を、０乃至１００ｎ秒の範囲内に設定することを特徴とする。
【００２５】
このような構成によれば、０乃至１００ｎ秒の範囲のマージンが設定されるので、配線遅延等が生じたとしても、確実に極性反転タイミングでは走査線が選択されない。これにより、表示むらを確実に抑制することができる。
【００２６】
また、前記イネーブル信号生成手段は、前記イネーブル信号の前記走査線を選択しない論理値と前記走査線を選択する論理値との変化点を前記画像信号の水平帰線期間内に設定することを特徴とする。
【００２７】
このような構成によれば、水平帰線期間内においては、画像信号は例えば黒レベル等の共通レベルである。従って、全ての走査線について、ソース電位の変動は同一となり、画素むらが生じることを確実に防止することができる。
【００２８】
本発明に係る電気光学装置用駆動方法は、格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間した２本のラインの走査線を選択して順次ゲートパルスを供給し、次の１水平期間には選択するｎ本のラインを夫々１ラインずつシフトさせる走査ドライブ処理と、前記入力画像とその遅延信号とを合成し、前記入力画像の水平周波数に対して２倍の水平周波数の合成画像を前記走査ドライブ処理における走査に応じた信号配列で配列して書込み画像を得る画像再配列処理と、前記画像再配列処理によって得られる書込み画像の画像信号が入力され、前記入力画像の水平周期の１／２倍の水平書込み期間毎に極性反転させて前記複数のソース線に夫々供給するデータドライブ処理と、前記入力画像の１水平期間に、相互に離間した２本のラインの走査線を夫々選択するためのイネーブル信号であって、前記ソース線に供給される画像信号の極性反転のタイミングでは、前記走査線を選択しない論理値を有するイネーブル信号を生成するイネーブル信号生成処理とを具備したことを特徴とする。
【００２９】
このような構成によれば、画像再配列処理において、入力画像とその遅延信号とが合成され、入力画像の水平周波数に対して２倍の水平周波数の画像が走査ドライブ手段の走査に応じた信号配列で配列されて書込み画像が得られる。書込み画像の画像信号は、データドライブ処理において、水平書込み期間周期で極性反転される。走査ドライブ処理では、２ラインの走査線が選択され、１水平期間内に順次ゲートパルスが供給される。更に、走査ドライブ処理による次の１走査期間には、選択される走査線がいずれも１ラインずつシフトされる。イネーブル信号生成処理では、入力画像の１水平期間に、相互に離間した２本のラインの走査線を夫々選択するためのイネーブル信号であって、ソース線に供給される画像信号の極性反転のタイミングでは、走査線を選択しない論理値を有するイネーブル信号が生成される。これにより、ソース電位の変動が抑制され、ソース電位の変動による画質劣化を抑制することができる。
【００３０】
また、前記イネーブル信号生成処理は、前記ソース線に供給される画像信号が同一極性の期間に、相互に離間した２本のラインの走査線を夫々選択するためのイネーブル信号を生成することを特徴とする。
【００３１】
このような構成によれば、画像信号の極性が同一の間にのみ走査線が選択されるので、画像信号の極性反転のタイミングで比較的大きくソース電位が変動したとしても、このソース電位の変動分が画素に書き込まれることはなく、表示むらの発生を抑制することができる。
【００３２】
また、前記イネーブル信号生成処理は、前記イネーブル信号の前記走査線を選択しない論理値と前記走査線を選択する論理値との変化点と前記画像信号が反転する変化点との間隔を、０乃至１００ｎ秒の範囲内に設定することを特徴とする。
【００３３】
このような構成によれば、０乃至１００ｎ秒の範囲のマージンが設定されるので、配線遅延等が生じたとしても、確実に極性反転タイミングでは走査線が選択されない。これにより、表示むらを確実に抑制することができる。
【００３４】
また、前記イネーブル信号生成処理は、前記イネーブル信号の前記走査線を選択しない論理値と前記走査線を選択する論理値との変化点を前記画像信号の水平帰線期間内に設定することを特徴とする。
【００３５】
このような構成によれば、水平帰線期間内においては、画像信号は例えば黒レベル等の共通レベルである。従って、全ての走査線について、ソース電位の変動は同一となり、画素むらが生じることを確実に防止することができる。
【００３６】
本発明に係る電気光学装置は、上記電気光学装置用駆動回路と、前記表示部とを具備したことを特徴とする。
【００３７】
このような構成によれば、横電界及びソース電位の変動の悪影響を回避した高画質の画像が得られる。
【００３８】
また、本発明に係る電子機器は、上記電気光学装置装置を具備したことを特徴とする。
【００３９】
このような構成によれば、横電界及びソース電位の変動の悪影響を回避した高画質の画像が得られる。
【発明を実施するための最良の形態】
【００４０】
以下、図面を参照して本発明の実施の形態について詳細に説明する。図１乃至図１３は本発明の第１の実施の形態に係り、図１は本実施の形態に係る電気光学装置を示すブロック図、図２は本実施の形態を液晶装置に適用した場合において採用される液晶パネルの概略構成図、図３は図２のＨ−Ｈ’線に沿う断面図、図４は液晶パネルの画素領域においてマトリクス状に形成された複数の画素の等価回路図、図５は図１中の走査ドライバ１０４の具体的な構成を示す回路図、図６は図５中の要部の詳細回路図、図７は液晶装置の動作を説明するためのタイミングチャート、図８は図７の一部の期間についての走査を説明するためのタイミングチャート、図９は画面のイメージを示す説明図、図１０は画面上の書込み（駆動）の様子を示す説明図である。また、図１１は本実施の形態におけるイネーブル信号ＥＮＢＹ１，ＥＮＢＹ２と極性反転信号ＦＲＰとの関係を示すタイミングチャートであり、図１２はイネーブル信号ＥＮＢＹ１，ＥＮＢＹ２の作成方法の一例を説明するためのタイミングチャートであり、図１３は本実施の形態における表示例を示す説明図である。なお、各図においては、各層や各部材を図面上で認識可能な程度の大きさとするため、各層や各部材毎に縮尺を異ならしめてある。
【００４１】
本実施の形態は、例えば投射型表示装置の光変調装置として用いる液晶ライトバルブに適用した例を示している。
【００４２】
本実施の形態に係る電気光学装置は、電気光学材料である液晶を用いた表示領域１０１ａと、この表示領域１０１ａの各画素を駆動する走査ドライバ１０４及びデータドライバ２０１と、これらの走査ドライバ１０４及びデータドライバ２０１に各種信号を供給するためのコントローラ６１、ＤＡコンバータ（ＤＡＣ）６４及びメモリ６２とによって構成されている。
【００４３】
図２は図１中の表示領域１０１ａ、走査ドライバ１０４及びデータドライバ２０１によって構成される液晶パネル１の概略構成を示し、図３はその断面を示している。
【００４４】
液晶パネル１の中央に表示領域１０１ａが形成される。表示領域１０１ａは、素子基板としてガラス基板等の透明基板が用いられ、素子基板上に、画素を駆動するＴＦＴと共に、周辺駆動回路等も形成されている。素子基坂上の表示領域１０１ａには、複数本のゲート線（走査線）Ｇ1 ，Ｇ2 ，…が、図１のＸ（行）方向に延在して形成され、また、複数本のソース線（データ線）Ｓ1 ，Ｓ2 ，…が、Ｙ（列）方向に沿って延在して形成されている。画素１１０は、各走査線と各ソース線との各交差に対応して設けられて、マトリクス状に配列されている。
【００４５】
なお、表示領域１０１ａは、例えばＸＧＡ規格に対応させると、１０２４×７６８の有効画素に対して、ダミー画素を含んだ場合には例えば１０４４×７８０の画素を有している。
【００４６】
液晶パネルは、図２及び図３に示すように、例えば、石英基板、ガラス基板、シリコン基板を用いたＴＦＴ基板１０と、これに対向配置される、例えばガラス基板や石英基板を用いた対向基板２０との間に液晶５０を封入して構成される。対向配置されたＴＦＴ基板１０と対向基板２０とは、シール材５２によって貼り合わされている。
【００４７】
ＴＦＴ基板１０上には画素１１０を構成する画素電極（ＩＴＯ）９等がマトリクス状に配置される。また、対向基板２０上には全面に対向電極（ＩＴＯ）２１が設けられる。ＴＦＴ基板１０の画素電極９上には、ラビング処理が施された配向膜（図示省略）が設けられている。一方、対向基板２０上の全面に渡って形成された対向電極２１上にも、ラビング処理が施された配向膜（図示省略）が設けられている。なお、各配向膜は、例えば、ポリイミド膜等の透明な有機膜からなる。
【００４８】
図４は画素を構成するＴＦＴ基板１０上の素子の等価回路を示している。図４に示すように、表示領域１０１ａにおいては、複数本の走査線Ｇ1 ，Ｇ2 ，…と複数本のソース線Ｓ1 ，Ｓ2 ，…とが交差するように配線され、走査線Ｇ1 ，Ｇ2 ，…とソース線Ｓ1 ，Ｓ2 ，…とで区画された領域に画素電極９がマトリクス状に配置される。そして、走査線Ｇ1 ，Ｇ2 ，…とソース線Ｓ1 ，Ｓ2 ，…の各交差部分に対応してスイッチング手段としてのＴＦＴ３０が設けられ、このＴＦＴ３０に画素電極９が接続される。
【００４９】
各画素１１０を構成するＴＦＴ３０は、ゲートが走査線Ｇ1 ，Ｇ2 ，…に、ソースがソース線Ｓ1 ，Ｓ2 ，…に、ドレインが画素電極９に、それぞれ接続される。画素電極９と対向電極２１との間には電気光学材料たる液晶５０が挟持されて液晶層が形成されている。
【００５０】
各走査線Ｇ1 ，Ｇ2 ，…には後述する走査ドライバ１０４から夫々走査信号Ｇ１，Ｇ２，…Ｇｍが供給される。また、対向電極２１には対向電極電圧が印加される。各走査信号によって、各ライン毎にそのラインの画素を構成する全てのＴＦＴ３０が同時にオンとなり、これにより、後述するデータドライバ２０１から各ソース線Ｓ1 ，Ｓ2 ，…に供給された画像信号（書き込み画像の画像信号）が画素電極９に書込まれる。画像信号が書き込まれた画素電極９と対向電極２１との電位差に応じて液晶５０の分子集合の配向状態が変化して、光の変調が行われ、階調表示が可能となる。
【００５１】
また、画素電極９と並列に蓄積容量７０が設けられており、蓄積容量７０によって、画素電極９の電圧はソース電圧が印加された時間よりも例えば３桁も長い時間の保持が可能となる。蓄積容量７０によって、電圧保持特性が改善され、コントラスト比の高い画像表示が可能となる。
【００５２】
また、図２及び図３に示すように、対向基板２０には表示領域を区画する額縁としての遮光膜５３が設けられている。遮光膜５３の外側の領域には液晶を封入するシール材５２が、ＴＦＴ基板１０と対向基板２０間に形成されている。シール材５２は対向基板２０の輪郭形状に略一致するように配置され、ＴＦＴ基板１０と対向基板２０を相互に固着する。シール材５２は、ＴＦＴ基板１０の１辺の一部において欠落しており、液晶５０を注入するための液晶注入口５２ａが形成される。貼り合わされた素子基板１０及び対向基板２０相互の間隙には、液晶注入口５２ａより液晶が注入される。液晶注入後に、液晶注入口５２ａを封止材２５で封止するようになっている。
【００５３】
シール材５２の外側の領域には、ソース線Ｓ1 ，Ｓ2 ，…に画像信号を所定のタイミングで供給することにより該ソース線Ｓ1 ，Ｓ2 ，…を駆動するデータドライバ２０１及び外部回路との接続のための外部接続端子２０２がＴＦＴ基板１０の一辺に沿って設けられている。この一辺に隣接する二辺に沿って、走査線Ｇ1 ，Ｇ2 ，…を介してＴＦＴ３０の図示しないゲート電極に走査信号を所定のタイミングで供給することによりゲート電極を駆動する走査ドライバ１０４が設けられている。走査ドライバ１０４は、シール材５２の外側のＴＦＴ基板１０の２辺に沿って形成される。また、ＴＦＴ基板１０上には、データドライバ２０１、走査ドライバ１０４、外部接続端子２０２及び上下導通端子１０７を接続する配線１０５が、ＴＦＴ基板１０の縁辺に沿って設けられている。
【００５４】
上下導通端子１０７は、シール材５２のコーナー部の４箇所のＴＦＴ基板１０上に形成される。そして、ＴＦＴ基板１０と対向基板２０相互間には、下端が上下導通端子１０７に接触し、上端が対向電極２１に接触する上下導通材１０６が設けられており、上下導通材１０６によって、ＴＦＴ基板１０と対向基板２０との間で電気的な導通がとられている。
【００５５】
次に、図１７乃至図１９を参照して表示むらの発生原因について説明する。図１７は結合容量を説明するためのブロック図であり、図１８は不具合を生じさせるイネーブル信号ＥＮＢＹ１，ＥＮＢＹ２と極性反転信号ＦＲＰとの関係を示すタイミングチャートであり、図１９は表示むらの例を示す説明図である。
【００５６】
図１７の例ではデータドライバ２０１は相展開に適用した構成を有しているが、相展開を用いないものでもよい。６相展開においては、水平６画素分の画像信号をパラレルにデータドライバ２０１に取込み、水平方向に並んだ６つのソース線に同時に６画素分の画像信号を供給し、１水平期間で水平方向の全ソース線に、１ライン分の画像信号を書き込むものである。相展開によって、１画素当たりの書き込みに要する時間を延長することが可能である。
【００５７】
データドライバ２０１は、６本のビデオ信号線２０３の出力を転送トランジスタＴ１，Ｔ２，…を介して各ソース線Ｓ１，Ｓ２，…に供給するようになっている。転送トランジスタＴ１，Ｔ２，…は、Ｘ方向のイネーブル信号ＥＮＢＸによってオンとなって、ビデオ信号線２０３に入力された画像信号を対応するソース線に書き込む。
【００５８】
ところが、転送トランジスタＴ１，Ｔ２，…のソース・ドレイン間に生じた結合容量によって、転送トランジスタＴ１，Ｔ２，…のオフ期間であっても、ビデオ信号線２０３の変動分がソース線Ｓ１，Ｓ２，…に影響を与える。いま、ビデオ信号線２０３の電位変動をΔＶｓ、ビデオ信号線２０３の配線容量をＣｌ、結合容量をＣｓｄとすると、ソース電位に対する容量結合ΔＶは、
ΔＶ＝ΔＶｓ・Ｃｓｄ／Ｃｌ  で表される。
【００５９】
いま、領域走査反転駆動における１水平期間内の２回の走査のうちの一方（以下、走査１という）によって画面中央近傍の中間調表示の画素に書き込みを行い、他方（以下、走査２という）によって垂直ブランキング期間の黒レベルの書き込みを行うものとする。なお、ブランキング期間には、ビデオ信号線は黒レベルになるが、イネーブル信号ＥＮＢＸによって転送トランジスタＴ１，Ｔ２，…がオフとなっており、ソース線Ｓ１，Ｓ２，…には黒レベルが供給されない。
【００６０】
しかしながら、この場合には、ビデオ信号線２０３が所定の中間調レベルからレベルが大きい逆極性の黒レベルに変化するので、容量結合ΔＶは比較的大きな値となる。この場合でも、イネーブル信号ＥＮＢＹ１，ＥＮＢＹ２によって、走査１，２における２つの走査線（以下，走査線１，２という）に接続された各画素への画像信号の供給が遮断されていれば問題はない。
【００６１】
ところが、イネーブル信号ＥＮＢＹ１，ＥＮＢＹ２が画像信号の極性反転後にＴＦＴ３０をオフにするレベルに変化すると、極性反転によって生じた容量結合ΔＶによって変化したソース線電位が、画素に印加されてしまう。
【００６２】
図１８はイネーブル信号ＥＮＢＹ１，ＥＮＢＹ２が極性反転後にＴＦＴ３０をオフにするレベルに変化した例を示している。図１８（ａ）は転送クロックＣＬＹを示し、図１８（ｂ）は極性反転信号ＦＲＰを示し、図１８（ｃ）はイネーブル信号ＥＮＢＹ１を示し、図１８（ｄ）はイネーブル信号ＥＮＢＹ２を示し、図１８（ｅ），（ｆ）は所定のビデオ信号線２０３に流れる信号ＶＩＤ１，ＶＩＤ２を示している。図１９はこの場合において、画素むらが生じる範囲を示している。図１９は画像信号の有効表示期間及び垂直帰線期間を画面表示に対応させて示すものである。垂直期間の終端には垂直帰線期間（塗り潰し部）が配置される。いま、例えば、有効な表示領域は全域において所定の中間調レベルであるものとする。
【００６３】
領域走査反転駆動における走査線１，２がいずれも表示領域内の走査線Ａ１，Ａ２である場合には、容量結合ΔＶは比較的小さい。この場合に走査線１，２によって書き込まれる信号は例えば図１８（ｅ）の前半及び後半に夫々示すものとなる。一方、領域走査反転駆動における走査線１，２の一方が表示領域内の走査線Ｂ１であり、他方が垂直ブランキング期間の走査線Ｂ２である場合には、容量結合ΔＶは比較的大きな値となる。この場合に走査線１，２によって書き込まれる信号は例えば図１８（ｆ）の前半及び後半に夫々示すものとなる。
【００６４】
即ち、走査線Ｂ１の走査時には、走査線Ａ１の走査時に比べて大きな容量結合ΔＶの影響を受けたソース電位が画素に書き込まれることになる。これにより、図１９に示すように、対応する走査線２が垂直帰線期間の範囲となる走査線１の範囲（粗の斜線部）については他の部分に比べて容量結合の影響が大きくなって、表示むらが生じてしまう。
【００６５】
なお、黒表示又は白表示部分においてもソース電位の影響を受けるが、黒表示又は白表示部分は電圧透過率特性が飽和する部分であることから、表示上は目立たない。また、逆に、走査線Ａ２が黒い横棒の表示である場合にも、極性反転前後でレベル変動が大きいので、走査線Ａ１には表示むらが生じてしまう。
【００６６】
そこで、本実施の形態においては、極性反転タイミングには、各走査線に接続されて画素にソース線からの信号を供給するＴＦＴ３０をオフにするイネーブル信号ＥＮＢＹ１，ＥＮＢＹ２を生成することによって、極性反転に伴う容量結合の影響を回避して、表示むらを抑制するようになっている
本実施の形態における液晶装置の駆動回路部６０は、液晶パネル１に含まれるデータドライバ２０１、走査ドライバ１０４の外、図１に示すように、画像再配列手段としてのコントローラ６１、メモリ６２、ＤＡコンバータ６４等から構成されている。メモリ６２は、外部から入力された半画面分（１／２フィールド分）の画像を一時的に蓄えると共に、保持した画像を表示用に出力することができるようになっている。
【００６７】
コントローラ６１は、表示コントロール部６１ａ及びイネーブル信号生成部６１ｂを内蔵している。コントローラ６１には、垂直同期信号Ｖsync、水平同期信号Ｈsync、ドットクロック信号dotclk及び入力画像の画像信号DATAが入力される。コントローラ６１は、メモリ６２の制御、および書き込む走査線に対応したデータのメモリ６２からの読み出しを行う。
【００６８】
コントローラ６１の表示コントロール部６１ａは、メモリ６２を用いることで、外部から入力された画像信号に対して所定時間遅延させた画像信号を得ることができる。例えば、コントローラ６１は、入力された画像信号から相互に垂直期間の１／２の期間だけ前後した画像信号を得ることができる。更に、コントローラ６１は、相互に垂直期間の１／２の期間だけ前後した画像信号を合成して、入力画像の水平周波数の倍の水平周波数の信号に変換し、表示領域１０１ａの後述する走査に応じて画像信号の信号配列を再配列させて出力することができる。
【００６９】
コントローラ６１からの画像信号はＤＡＣ６４に与えられる。ＤＡＣ６４は、コントローラ６１からのディジタル画像信号をアナログ信号に変換してデータドライバ２０１に供給するようになっている。
【００７０】
また、コントローラ６１は、データドライバ２０１及び走査ドライバ１０４を駆動する各種信号を生成する。これらの各種信号を生成するために、コントローラ６１はタイミングジェネレータ（図示せず）を備えている。タイミングジェネレータは、外部から供給された垂直同期信号Ｖsync、水平同期信号Ｈsync及びドットクロック信号dotclkを基に、各種タイミング信号を生成する。
【００７１】
即ち、コントローラ６１は、タイミングジェネレータを用いて、ディスプレイ駆動用の信号である、転送クロックＣＬＸ等を生成してデータドライバ２０１に出力する。また、コントローラ６１は、走査スタートパルスＤＹ、転送クロックＣＬＹ，／ＣＬＹを生成して走査ドライバ１０４に出力する。また、コントローラ６１は、イネーブル信号ＥＮＢＹ１，ＥＮＢＹ２を生成して、走査ドライバ１０４に供給するようになっている。
【００７２】
データドライバ２０１は、図示しないサンプリングホールド回路に水平画素数分の画像信号を保持させる。転送クロックＣＬＸは、各ソース線に対応したサンプリングホールド回路のサンプリングタイミングを決定するクロック信号である。データドライバ２０１は、サンプリングホールド回路に保持された画像信号を各ソース線を介して出力する。
【００７３】
コントローラ６１が生成する走査スタートパルスＤＹは、走査の開始を指示するためのパルス信号であり、本実施の形態においては１垂直期間に２回発生する。例えば、コントローラ６１は、１／２垂直期間だけずれたタイミングで走査スタートパルスＤＹを発生させる。走査スタートパルスＤＹが走査ドライバ１０４に入力されることにより、走査ドライバ１０４は各走査線Ｇ1 〜Ｇ２ｍに各画素のＴＦＴ３０をオンにさせる走査信号（以下、ゲートパルスという）（Ｇ１〜Ｇ２ｍ）を出力する。
【００７４】
転送クロックＣＬＹ，／ＣＬＹは、走査側（Ｙ側）の走査速度を規定する信号で、入力画像信号の１水平期間に対応して立上り又は立下るパルスである。後述するように、走査ドライバ１０４は、転送クロックＣＬＹ（／ＣＬＹ）に同期して、ゲートパルスを出力する走査線をシフトさせる。
【００７５】
本実施の形態においては、１垂直期間で２つの走査スタートパルスＤＹが発生するので、表示領域１０１ａでは、１水平期間において、２つの走査スタータパルスのずれに応じたライン数だけ隔てた２ラインの走査線にゲートパルスが供給される。
【００７６】
この場合において、これらの２つの走査線に接続されたＴＦＴ３０が同時にオンとなってソース線を介して転送された同一の画像信号が２ラインの画素電極９に書込まれることがないように、１水平期間を前半と後半に分け、１水平期間の前半と後半とで、これらの２つの走査線に交互にゲートパルスを供給するようになっている。
【００７７】
また、コントローラ６１は、入力画像信号とその遅延信号とを、上述した走査に応じて配列し直すと共に、１水平期間毎に極性反転させてデータドライバ２０１に供給する。例えば、コントローラ６１は、入力画像信号とその遅延信号とを各ライン毎に交互に配列することで、書込み画像を得る。即ち、データドライバ２０１に入力される書込み画像の画像信号は、コントローラ６１に入力される入力画像の画像信号の２倍の伝送レートとなり、表示パネル１では、同一画素信号を２回ずつ画素電極９に書込む、所謂倍速走査が行われることになる。
【００７８】
つまり、データドライバ２０１に入力される画像信号の水平期間は、元の入力画像信号の水平期間Ｈの１／２の期間ｈ（＝Ｈ／２）である。液晶パネル１の表示領域１０１ａの１ラインの画素の書込み期間（以下、水平書込み期間という）は、書込み画像の水平期間に一致させる。
【００７９】
１水平期間Ｈは、２回の水平書込み期間ｈを含み、各水平書込み期間において２ラインの画素に夫々のラインの画像に対応した画素信号が供給される。これらの異なる２ラインの画素信号を、夫々２回の水平書込み期間ｈで書込むために、１水平期間Ｈで夫々２回立上り、立下るイネーブル信号ＥＮＢＹ１，ＥＮＢＹ２が用いられる。
【００８０】
イネーブル信号ＥＮＢＹ１，ＥＮＢＹ２はコントローラ６１のイネーブル信号生成部６１ｂによって生成される。コントローラ６１は、書込み画像を正極性と負極性とで切換えるための極性反転信号ＦＲＰを生成する。極性反転信号ＦＲＰは、１水平周期の信号であり、極性反転信号ＦＲＰのハイレベル（以下、“Ｈ”という）期間に正極性画像信号の書込みが行われ、ローレベル（以下、“Ｌ”という）期間に負極性画像信号の書込みが行われるようになっている。
【００８１】
イネーブル信号生成部６１ｂは、後述するように、極性反転信号ＦＲＰのレベルの変化点において、即ち、極性反転のタイミングにおいてＴＦＴ３０をオフにするレベルを有するイネーブル信号ＥＮＢＹ１，ＥＮＢＹ２を生成する。イネーブル信号ＥＮＢＹ１，ＥＮＢＹ２のパルス幅によって水平書込み期間が規定される。
【００８２】
次に、図５を参照して走査ドライバ１０４について説明する。
【００８３】
走査ドライバ１０４は、図５に示すように、コントローラ６１から走査スタートパルスＤＹ、クロック信号ＣＬＹ、反転クロック信号／ＣＬＹがそれぞれ入力されるシフトレジスタ６６と、シフトレジスタ６６からの出力が入力される２ｍ個のＡＮＤ回路６７を有している。ＡＮＤ回路６７の出力端は夫々２ｍ本の走査線Ｇ１〜Ｇ２ｍに接続される。
【００８４】
図６はシフトレジスタ６６の具体的な構成を示している。シフトレジスタ６６は隣接する２つの走査線毎に対応した構成を有している。即ち、隣接する２つの走査線のうち一方の走査線に対応して、クロック信号ＣＬＹによって導通するクロックドインバータ６６ａ、反転クロック信号／ＣＬＹによって導通するクロックドインバータ６６ｂ及びインバータ６６ｃを有しており、他方の走査線に対応して、反転クロック信号／ＣＬＹによって導通するクロックドインバータ６６ｄ、クロック信号ＣＬＹによって導通するクロックドインバータ６６ｅ及びインバータ６６ｆを有している。
【００８５】
クロックドインバータ６６ａには走査スタートパルスＤＹに基づくパルスが入力され、“Ｈ”のクロック信号ＣＬＹによって導通して、出力を対応するＡＮＤ回路６７及びインバータ６６ｃに出力する。インバータ６６ｃはクロックドインバータ６６ａの反転出力をクロックドインバータ６６ｂ及び次段のクロックドインバータ６６ｄに出力する。クロックドインバータ６６ｂは“Ｈ”の反転クロック信号／ＣＬＹによって導通して、出力を対応するＡＮＤ回路６７の入力端に与える。
【００８６】
また、クロックドインバータ６６ｄには前段のインバータ６６ｃの出力を与え、インバータ６６ｃの出力を、“Ｈ”のクロック信号ＣＬＹで対応するＡＮＤ回路６７の入力端及びインバータ６６ｆに出力する。インバータ６６ｆはクロックドインバータ６６ｄの反転出力をクロックドインバータ６６ｅ及び次段のクロックドインバータ６６ａに出力する。クロックドインバータ６６ｆは“Ｈ”の反転クロック信号／ＣＬＹによって導通して、出力を対応するＡＮＤ回路６７の入力端に与える。
【００８７】
クロックドインバータ６６ａに入力される走査スタートパルスＤＹは所定幅のパルスであり、走査スタートパルスＤＹに基づくパルスが、クロックドインバータ６６ａ、インバータ６６ｃ、クロックドインバータ６６ｄ及びインバータ６６ｆを介して各ＡＮＤ回路６７に順次転送される。また、クロックドインバータ６６ｂの出力をＡＮＤ回路６７に与えることで、ＡＮＤ回路６７の出力パルスの立上り，立下りをクロック信号ＣＬＹによって規定している。
【００８８】
更に、ＡＮＤ回路６７にはイネーブル信号ＥＮＢＹ１又はＥＮＢＹ２も入力される。例えば、奇数番目の走査線に対応するＡＮＤ回路６７にはイネーブル信号ＥＮＢＹ２が入力され、偶数番目の走査線に対応するＡＮＤ回路６７にはイネーブル信号ＥＮＢＹ１が入力される。ＡＮＤ回路６７は、２入力の論理和を求めて走査信号として各走査線に出力する。これにより、ゲートパルスのパルス幅はイネーブル信号ＥＮＢＹ１，ＥＮＢＹ２のパルス幅に一致し、このパルス幅が水平書込み期間となる。
【００８９】
次に、図７及び図８を参照して駆動回路部６０の動作を詳細に説明する。
【００９０】
上述したように、領域走査反転駆動においては、一水平期間を前半と後半とに分け、夫々相異なる２つのラインの画素に書込み画像を書き込む。水平期間の前半の走査（以下、第１走査又は走査１という）による書き込みと、水平期間の後半の走査（以下、第２走査又は走査２という）による書き込みとが、夫々１水平期間毎に１ラインずつシフトする。即ち、画面上では、所定間隔離間した２つの走査線（以下、第１走査線又は走査線１、第２走査線又は走査線２という）によって夫々順次書込みが行われる。
【００９１】
この場合において、通常、第１走査線と第２走査線とは相互に垂直期間の１／２だけ離間させて発生させている。
【００９２】
このような第１及び第２走査線を発生させるために、駆動回路部６０においては、図７に示すように、入力される画像信号の１垂直期間中に走査スタートパルスＤＹを２回出力する。走査スタートパルスＤＹは、１水平書込み期間毎に１パルスが立上り、立下る１水平期間周期のクロック信号ＣＬＹによって、走査ドライバ１０４のシフトレジスタ６６中をシフトしていく。
【００９３】
１垂直期間に２つの走査スタートパルスＤＹが発生するので、例えば、１つ目の走査スタートパルスＤＹに基づいて各走査線のＡＮＤ回路６７から発生する“Ｈ”のゲートパルスは、入力画像信号の水平期間Ｈ周期で次段にシフトし、そのパルス幅はイネーブル信号ＥＮＢＹ１，ＥＮＢＹ２の“Ｈ”期間によって規定される。また、２つ目の走査スタートパルスＤＹに基づいて各走査線のＡＮＤ回路６７から発生する“Ｈ”のゲートパルスは、入力画像信号の水平期間Ｈ周期で次段にシフトし、そのパルス幅はイネーブル信号ＥＮＢＹ１，ＥＮＢＹ２の“Ｈ”期間で規定される。
【００９４】
このように、１水平期間Ｈ中に、ゲートパルスは走査線ｍ本分離れた画面上の２個所に交互に出力される。次の１水平期間Ｈには、夫々次のラインの走査線に対してゲートパルスが発生する。すなわち、所定の走査線からｍ本離れた走査線に飛び越しては前記所定の走査線の次段の走査線に戻り、その走査線からｍ本離れた走査線に飛び越してはまたその次段の走査線に戻るというように順次出力される。例えば、第１走査線と第２走査線とがＧｍだけずれて発生する場合には、走査線Ｇ１ 、走査線Ｇｍ＋１ 、走査線Ｇ２ 、走査線Ｇｍ＋２ 、Ｇ３ 、…という順序で走査が行われる。
【００９５】
このように走査スタートパルスＤＹ、イネーブル信号ＥＮＢＹ１、ＥＮＢＹ２を用いることで、液晶パネル１の水平書込み期間を、入力される画像信号の水平期間Ｈの略１／２の期間とする設定での動作が可能となる。
【００９６】
一方、データドライバ２０１からの出力であるデータ信号Ｓｘは、コモン電位ＬＣＣＯＭを中心として１水平書込み期間ｈ毎に正極性電位と負極性電位とに極性が反転する。従って、データ信号Ｓｘ側が１水平書込み期間毎に極性反転しつつ、ゲートパルス側は上記の順番で走査線ｍ本分離れた画面の２個所に交互に出力されることになる。その結果、第１走査線と第２走査線とがＧｍだけずれている場合、画面上は、図９に示すように、ある１水平期間に着目すると、例えば走査線Ｇ３ 〜Ｇｍ＋２ に対応するドット（画素）は正極性電位のデータが書き込まれる領域（以下、単に正極性領域という）となり、走査線Ｇ１ 〜Ｇ２及びＧｍ＋３ 〜Ｇ２ｍに対応するドットは負極性電位のデータが書き込まれる領域（以下、単に負極性領域という）となる。即ち、画面内があたかも異なる極性のデータが書き込まれた正極性領域と負極性領域の３つの領域に分割されたような状態となる。
【００９７】
なお、本実施の形態においては、１つのフィールドデータを連続した第１，第２のフィールドデータとして、外部から入力された画像信号を第１のフィールドデータとしてそのままビデオ信号線２０３に書き込みつつ、この画像信号をメモリ６２に記憶させて画像信号に対して遅延した第２のフィールドデータを作り出し、これらのフィールドデータを交番的に書き込むとともに、第２のフィールドデータの極性を第１のフィールドデータに対して反転させている。
【００９８】
即ち、１つのフレームデータを２つのフィールドデータとして、一方のフィールドデータとして外部から入力される画像信号をそのまま用いていることから、画像は実質的に倍速で書き込まれることとなる。通常、倍速駆動を行なう場合には、２画面分（２フィールド分）のメモリ容量が必要となるが、本構成では、外部からの画像信号をそのままビデオ信号線２０３に出力することで画面の半分が書き込まれるため、メモリ容量は表示画面全体の半分の容量（即ち、１／２フィールド分）だけあればよい。このため、通常のものに比べてメモリ容量が１／４で済み、部材コストを大幅に低減することができる。
【００９９】
図９は任意の１水平期間の瞬間を見た画面のイメージを示しており、図１０は時間の流れを追って画面上の極性の変化の状態を示すものである。図１０の横軸を時間（単位：１水平書込み期間）とすると、例えば第１水平書込み期間では走査線Ｇ２ｍに対応するドットに負電位が書き込まれ、次の第２水平書込み期間では第１水平書込み期間で負電位が書き込まれていた走査線Ｇｍ＋１ に対応するドットに正電位が書き込まれ、次の第３水平書込み期間では１／２垂直期間以前に正電位が書き込まれていた走査線Ｇ１ に対応するドットに負電位が書き込まれる。
【０１００】
従って、正極性領域と負極性領域はそれぞれ１水平書込み期間ｈ毎に１ラインずつ移動していき、走査線が画面の半分を移動したときに正極性領域と負極性領域とが完全に反転する。つまり１画面の書き換えが行われたことになる。この画面の書換えは１／２垂直期間で行われ、１垂直期間では、各画素はもう一度書き換えられる。即ち、この方法によると、走査線が全画面を移動することにより、書き換えは２度行われることになる。
【０１０１】
上述したように、データドライバ２０１に入力される画像信号は、所定期間（図１０の例では１／２垂直期間）前後した同一画像を２倍の伝送レートで配列したものであり、結果的に、液晶パネル１の各画素は、１垂直期間に同一画像が２回書込まれることになり、所謂倍速走査が行われたこととなる。
【０１０２】
このように、領域走査反転駆動においては、１垂直期間内に所定の期間ずらして２回書き込みを開始させることで、１水平期間内に２本の走査線にゲートパルスを供給する。そして、この場合には、イネーブル信号を用いることで、１水平期間の半分の時間の水平書込み期間毎に交番的に走査線にゲートパルスを供給して画素への書込みを行う。例えば同一画像信号を１／２垂直期間だけずらしながら、各画素を２回ずつ重ね書きする。即ち、一部（複数本）の走査線を飛び越しつつ、行ったり来たりしながら全ての走査線にわたって１垂直期間に２回ずつの走査が行なわれる。これにより、任意のタイミングでは、画面内には各フィールドに対応して正電位印加領域と負電位印加領域とからなる複数の領域が存在することとなる。
【０１０３】
本実施の形態においては、イネーブル信号生成部６１ｂによって、イネーブル信号ＥＮＢＹ１，ＥＮＢＹ２は、書込み画像の同一極性期間内おいて、“Ｈ”から“Ｌ”に変化するか又は“Ｌ”から“Ｈ”に変化するようになっている。
【０１０４】
図１１はイネーブル信号ＥＮＢＹ１，ＥＮＢＹ２と極性反転のタイミングを示す極性反転信号ＦＲＰとの関係を示している。図１１（ａ）は転送クロックＣＬＹを示し、図１１（ｂ）は極性反転信号ＦＲＰを示し、図１１（ｃ）はイネーブル信号ＥＮＢＹ１を示し、図１１（ｄ）はイネーブル信号ＥＮＢＹ２を示し、図１１（ｅ）は所定の第１及び第２走査線によって書き込む信号がいずれも中間調の信号である場合にビデオ信号線２０３に流れる信号ＶＩＤ−Ａを示し、図１１（ｆ）は所定の第１及び第２走査線の一方で書き込み信号が中間調の信号で他方で書き込む信号がブランキング期間の黒レベルの信号である場合にビデオ信号線２０３に流れる信号ＶＩＤ−Ｂを示している。
【０１０５】
上述したように、転送クロックＣＬＹは入力画像信号の１水平期間に対応して立上り又は立下るパルスである。この転送クロックＣＬＹに同期して、第１走査線及び第２走査線が１水平期間に夫々１ラインずつシフトする。極性反転信号ＦＲＰは１水平期間毎に立ち上がり又は立ち下がる信号であり、書込み画像の画像信号は、“Ｈ”期間に正極性となり、“Ｌ”期間に負極性となる。
【０１０６】
本実施の形態においては、この極性反転信号の“Ｈ”期間の開始タイミング直後において、イネーブル信号ＥＮＢＹ１は“Ｌ”から“Ｈ”に変化し、極性反転信号の“Ｈ”期間の終了タイミング直前において、イネーブル信号ＥＮＢＹ１は“Ｈ”から“Ｌ”に変化する。同様に、イネーブル信号ＥＮＢＹ２は、極性反転信号の“Ｌ”期間の開始タイミング直後において、“Ｌ”から“Ｈ”に変化し、極性反転信号の“Ｌ”期間の終了タイミング直前において、“Ｈ”から“Ｌ”に変化する。
【０１０７】
図１２はイネーブル信号ＥＮＢＹ１，ＥＮＢＹ２の生成方法を示している。イネーブル信号生成部６１ｂは、図示しないＨカウンタ（H_counter）を備えている。Ｈカウンタは、水平同期信号Ｈsyncよりも十分に高い周波数のクロックｃｌｋを発生する。イネーブル信号生成部６１ｂは、図１２に示す水平同期信号Ｈsyncを基準にして、Ｈカウンタの出力をカウントすることで、イネーブル信号ＥＮＢＹ１，ＥＮＢＹ２の立ち上がり及び立ち下がりタイミングを決定する。図１２の例では、イネーブル信号ＥＮＢＹ１は、水平同期信号Ｈsyncの立ち上がりタイミングを基準として、Ｈカウンタの５クロック分だけ前のタイミングで“Ｈ”から“Ｌ”に変化する。また、イネーブル信号ＥＮＢＹ２は、水平同期信号Ｈsyncの立ち上がりタイミングを基準として、Ｈカウンタの５クロック分だけ後のタイミングで“Ｌ”から“Ｈ”に変化し、Ｈカウンタの５クロック分だけ前のタイミングで“Ｈ”から“Ｌ”に変化する。
【０１０８】
イネーブル信号ＥＮＢＹ１，ＥＮＢＹ２の“Ｈ”期間において、各走査線に接続されたＴＦＴ３０がオンとなって、ソース電位を液晶に書き込む。イネーブル信号ＥＮＢＹ１，ＥＮＢＹ２の“Ｌ”期間には、各走査線に接続されたＴＦＴ３０はオフとなって、ソース電位は液晶に書き込まれない。従って、極性反転タイミングにおいてソース電位に変動が生じた場合でも、この変動分が液晶に書き込まれることはない。
【０１０９】
いま、所定のタイミングにおける第１走査線及び第２走査線が夫々図１３に示す走査線Ａ１，Ａ２であるものとする。また、他のタイミングにおける第１走査線及び第２走査線が夫々図１３に示す走査線Ｂ１，Ｂ２であるものとする。そして、走査線Ａ１，Ａ２，Ｂ１の位置の画像は中間調であり、走査線Ｂ２の位置はブランキング期間に対応した黒レベルの画像であるものとする。
【０１１０】
所定のビデオ信号線に、走査線Ａ１，Ａ２によって書き込まれる画像信号ＶＩＤ−Ａ（図１１（ｅ））が供給されるものとする。イネーブル信号ＥＮＢＹ２に対応して走査線Ａ１により、図１１（ｅ）の第１水平書込み期間の画像信号が書き込まれ、イネーブル信号ＥＮＢＹ１に対応して走査線Ａ２により図１１（ｅ）の第２水平書込み期間の画像信号が書き込まれる。
【０１１１】
同様に、所定のビデオ信号線に、走査線Ｂ１，Ｂ２によって書き込まれる画像信号ＶＩＤ−Ｂ（図１１（ｆ））が供給されるものとする。イネーブル信号ＥＮＢＹ２に対応して走査線Ｂ１により図１１（ｆ）の第１水平書込み期間の画像信号が書き込まれ、イネーブル信号ＥＮＢＹ２に対応して走査線Ｂ２により図１１（ｆ）の第２水平書込み期間の画像信号が書き込まれる。
【０１１２】
極性反転位置において、図１１（ｅ），（ｆ）に示す画像信号のレベルが大きく変化し、容量結合によって、ソース電位は変動する。しかしながら、本実施の形態においては、この極性反転信号の変化点において、イネーブル信号ＥＮＢＹ１，ＥＮＢＹ２はいずれも“Ｌ”である。従って、極性反転位置におけるソース電位の変動分が、各走査線を介して液晶に印加されることはない。
【０１１３】
即ち、いずれの走査線についても、画素に書き込まれるソース電位の変動分は略等しい。こうして、図１３に示すように、中間調表示の部分に表示むらが生じていない画像が表示される。
【０１１４】
なお、イネーブル信号が“Ｌ”から“Ｈ”又は“Ｈ”から“Ｌ”に変化するタイミングと極性反転信号の変化点との間隔（以下、マージンという）は、表示むらの観点からはなるべく大きい方がよい。しかし、マージンが大きい場合には水平書込み期間が短くなるので、本実施の形態においては、マージンを０乃至１００ｎ秒の範囲内、例えば約７０ｎ秒に設定するようになっている。これにより、イネーブル信号ＥＮＢＹ１，ＥＮＢＹ２が配線遅延等によって遅延する場合でも、同一極性の極性反転信号内に、確実に、イネーブル信号の変化点を生じさせることができる。
【０１１５】
このように本実施の形態においては、第１，第２走査線にゲートパルスを供給するためのイネーブル信号ＥＮＢＹ１，ＥＮＢＹ２が極性反転位置においては非アクティブになるように設定していることから、極性反転位置においてソース電位が液晶に書き込まれることを阻止することができ、画素に書き込まれるソース電位の変動分を略等しくして、表示むらの発生を防止することができる。
【０１１６】
図１４及び図１５は本発明の第２の実施の形態に係り、図１４は第２の実施の形態におけるイネーブル信号ＥＮＢＹ１，ＥＮＢＹ２と水平帰線期間との関係を示すタイミングチャートであり、図１５は表示領域と水平帰線期間との関係を示す説明図である。図１４（ａ）乃至（ｆ）は夫々図１１（ａ）乃至（ｆ）に対応している。
【０１１７】
本実施の形態においては、イネーブル信号が“Ｌ”から“Ｈ”又は“Ｈ”から“Ｌ”に変化するタイミングを水平帰線期間内に設定した例である。
【０１１８】
図１４（ｅ），（ｆ）において、極性反転信号の変化点前後の所定期間は、水平帰線期間である。図１５は表示領域と帰線期間との関係を示している。図１５に示すように、画面の水平方向の両端、即ち、水平期間の両端において、所定の長さの水平帰線期間（塗り潰し部）が設定される。また、画面の垂直方向の端部、即ち、垂直期間の終端において、所定の長さの垂直帰線期間（塗り潰し部）が設定される。
【０１１９】
本実施の形態においては、図１４に示すように、イネーブル信号生成部６１ｂによって、イネーブル信号ＥＮＢＹ１，ＥＮＢＹ２は、画像の水平帰線期間において、“Ｈ”から“Ｌ”に変化するか又は“Ｌ”から“Ｈ”に変化するようになっている。
【０１２０】
図１４（ｅ），（ｆ）に示すように、全ての水平帰線期間は、同一の黒レベルに設定される。この水平帰線期間にイネーブル信号ＥＮＢＹ１，ＥＮＢＹ２が変化するので、容量結合によるソース線の電位変動は、全ての走査線で共通である。
【０１２１】
即ち、ソース線の電位変動による書き込み電位の変化は、全ての走査線で共通に現れ、相対的には、書込み画像に応じた書込みが行われることになる。これにより、表示むらの発生が防止される。
【０１２２】
このように、本実施の形態においては、領域走査反転駆動における走査線の切換りタイミング前後の画像は水平帰線期間の黒レベルであり、ソース電位の変動量は全走査線で同一であり、ソース電位の変動による画素むらが生じることが防止される。
【０１２３】
なお、本実施の形態においても、イネーブル信号が“Ｌ”から“Ｈ”又は“Ｈ”から“Ｌ”に変化するタイミングと極性反転信号の変化点との間のマージンを０乃至１００ｎ秒の範囲内、例えば約７０ｎ秒に設定するようになっている。
【０１２４】
［投射型液晶装置］
図１６は上記実施の形態の液晶ライトバルブを３個用いた、いわゆる３板式の投射型液晶表示装置（液晶プロジェクタ）の一例を示す概略構成図である。図中、符号１１００は光源、１１０８はダイクロイックミラー、１１０６は反射ミラー、１１２２，１１２３，１１２４はリレーレンズ、１００Ｒ，１００Ｇ，１００Ｂは液晶ライトバルブ、１１１２はクロスダイクロイックプリズム、１１１４は投射レンズ系を示す。
【０１２５】
光源１１００は、メタルハライド等のランプ１１０２とランプ１１０２の光を反射するリフレクタ１１０１とから構成されている。青色光・緑色光反射のダイクロイックミラー１１０８は、光源１１００からの白色光のうちの赤色光を透過させるとともに、青色光と緑色光とを反射する。透過した赤色光は反射ミラー１１０６で反射され、赤色光用液晶ライトバルブ１００Ｒに入射される。
【０１２６】
一方、ダイクロイックミラー１１０８で反射された色光のうち、緑色光は、緑色光反射のダイクロイックミラー１１０８によって反射され、緑色用液晶ライトバルブ１００Ｇに入射される。一方、青色光は、第２のダイクロイックミラー１１０８も透過する。青色光に対しては、光路長が緑色光、赤色光と異なるのを補償するために、入射レンズ１１２２、リレーレンズ１１２３、出射レンズ１１２４を含むリレーレンズ系からなる導光手段１１２１が設けられ、これを介して青色光が青色光用液晶ライトバルブ１００Ｂに入射される。
【０１２７】
各ライトバルブ１００Ｒ，１００Ｇ，１００Ｂにより変調された３つの色光はクロスダイクロイックプリズム１１１２に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系１１１４によってスクリーン１１２０上に投射され、画像が拡大されて表示される。
【０１２８】
上記構成の投射型液晶表示装置においては、上記実施の形態の電気光学装置を用いたことにより、表示の均一性に優れた投射型液晶表示装置を実現することができる。
【０１２９】
なお、本発明の技術範囲は上記実施の形態に限定されるものではなく、本発明の趣旨を逸脱しない範囲において種々の変更を加えることが可能である。
【０１３０】
例えば、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＬＰ（Digital Light Processing）（別名ＤＭＤ：Digital Micromirror Device）等の各種の電気光学装置においても本発明を同様に適用することが可能である。
【図面の簡単な説明】
【０１３１】
【図１】本実施の形態に係る電気光学装置を示すブロック図。
【図２】本実施の形態を液晶装置に適用した場合において採用される液晶パネルの概略構成図。
【図３】図２のＨ−Ｈ’線に沿う断面図。
【図４】液晶パネルの画素領域においてマトリクス状に形成された複数の画素の等価回路図。
【図５】図１中の走査ドライバ１０４の具体的な構成を示す回路図。
【図６】図５中の要部の詳細回路図。
【図７】液晶装置の動作を説明するためのタイミングチャート。
【図８】図７の一部の期間についての走査を説明するためのタイミングチャート。
【図９】画面のイメージを示す説明図。
【図１０】画面上の書込み（駆動）の様子を示す説明図。
【図１１】本実施の形態におけるイネーブル信号ＥＮＢＹ１，ＥＮＢＹ２と極性反転信号ＦＲＰとの関係を示すタイミングチャート。
【図１２】イネーブル信号ＥＮＢＹ１，ＥＮＢＹ２の作成方法の一例を説明するためのタイミングチャート。
【図１３】本実施の形態における表示例を示す説明図。
【図１４】第２の実施の形態におけるイネーブル信号ＥＮＢＹ１，ＥＮＢＹ２と水平帰線期間との関係を示すタイミングチャート。
【図１５】表示領域と水平帰線期間との関係を示す説明図。
【図１６】上記実施の形態の液晶ライトバルブを３個用いた、いわゆる３板式の投射型液晶表示装置（液晶プロジェクタ）の一例を示す概略構成図。
【図１７】結合容量を説明するためのブロック図。
【図１８】不具合を生じさせるイネーブル信号ＥＮＢＹ１，ＥＮＢＹ２と極性反転信号ＦＲＰとの関係を示すタイミングチャート。
【図１９】表示むらの例を示す説明図。
【符号の説明】
【０１３２】
６０…駆動回路部、６１…コントローラ、６１ａ…表示コントロール部、６１ｂ…イネーブル信号生成部、６２…フレームメモリ、１０１ａ…表示部、１０４…走査ドライバ、２０１…データドライバ。  
【図１】
2006078619.tif 000003
【図２】
2006078619.tif 000004
【図３】
2006078619.tif 000005
【図４】
2006078619.tif 000006
【図５】
2006078619.tif 000007
【図６】
2006078619.tif 000008
【図７】
2006078619.tif 000009
【図８】
2006078619.tif 000010
【図９】
2006078619.tif 000011
【図１０】
2006078619.tif 000012
【図１１】
2006078619.tif 000013
【図１２】
2006078619.tif 000014
【図１３】
2006078619.tif 000015
【図１４】
2006078619.tif 000016
【図１５】
2006078619.tif 000017
【図１６】
2006078619.tif 000018
【図１７】
2006078619.tif 000019
【図１８】
2006078619.tif 000020
【図１９】
2006078619.tif 000021